(57)【要約】      （修正有）【課題】商品陳列棚に陳列される商品の仕切りに際し、陳列された商品の取り除きや再配置のための作業を必要としない仕切用具を提供する。【解決手段】品陳列棚１０の上に陳列される商品１２を仕切るために商品陳列棚の上に載置される仕切用具１４であって、商品陳列棚に載置された状態で見て直立する第１の板部１６と、直立する第２の板部１８とを含む。第２の板部１８は第１の板部に連なりかつ第１の板部に直交している。さらに、少なくとも１つのピン型磁石が、第１の板部１６又は第２の板部１８の少なくとも一方に埋め込まれている。ピン型磁石は商品陳列棚１０に相対する露出面を有する。【選択図】図１
0003181829.tif 000002
【実用新案登録請求の範囲】
【請求項１】
商品陳列棚の上に陳列される商品を仕切るために前記商品陳列棚の上に載置される仕切用具であって、
前記商品陳列棚に載置された状態で見て、直立する第１の板部と、直立する第２の板部であって前記第１の板部に連なりかつ該第１の板部に直交する第２の板部とを含む、仕切用具。
【請求項２】
さらに、前記第１の板部又は前記第２の板部の少なくとも一方に埋め込まれ、前記商品陳列棚に相対する露出面を有する少なくとも１つのピン型磁石を備える、請求項１に記載の仕切用具。
【請求項３】
さらに、前記第１の板部又は前記第２の板部の少なくとも一方に取り付けられ、前記商品陳列棚に相対する少なくとも１つの滑り止め部材を有する、請求項１又は２に記載の仕切用具。
【請求項４】
前記第１の板部及び前記第２の板部は、平面で見て、全体にＬ形を呈する、請求項１ないし３のいずれか１項に記載の仕切用具。
【請求項５】
前記第１の板部及び前記第２の板部は、平面で見て、全体にＴ形を呈する、請求項１ないし３のいずれか１項に記載の仕切用具。
【考案の詳細な説明】
【技術分野】
【０００１】
本考案は、商品陳列棚に並べられる複数の商品を仕切るために用いられる仕切用具に関する。
【背景技術】
【０００２】
従来、商品陳列棚に置かれる同種又は異種の商品同士を仕切るための手段として、陳列商品と共に商品陳列棚の上に載置される仕切用具が用いられている。従来の仕切用具は、これが商品陳列棚に載置された状態で見て、直立する第１の板部と、該第１の板部に連なる第２の板部であってその板面において前記載置棚に接する第２の板部と、第２の板部に取り付けられた磁石部であって前記載置棚に相対する磁石部とを有する（後記非特許文献１参照）。
【０００３】
前記従来の仕切用具によれば、前記直立する第１の板部が陳列商品を仕切る働きをなす。このとき、前記商品陳列棚に接する状態にある前記第２の板部は陳列商品下にあって前記第１の板部を支持する働きをなす。このため、前記従来の仕切用具は、商品を陳列する前に予め前記商品陳列棚の上に載置される。また、前記商品陳列棚が磁性を有するものであるときは、その第２の板部が、前記磁石部を介して、前記商品陳列棚に固定される。
【０００４】
ところで、商品の仕切りは、所望の陳列効果を実現する上で、商品の陳列前ではなく商品の陳列後に行うこと、あるいは商品の陳列後に変更を行うことが望ましいことがある。前記従来の仕切用具を使用した場合における前記商品陳列後の仕切り又は仕切り位置の変更のためには、前記仕切用具の配置場所を占める商品の取り除き及び再配置の各作業を必要とする。
【先行技術文献】
【非特許文献】
【０００５】
【非特許文献１】ＫＡＷＡＪＵＮ  プロダクトカタログ  ２００９、カワジュン株式会社、２０１０年９月１日、第２２７頁
【考案の概要】
【考案が解決しようとする課題】
【０００６】
本考案の目的は、商品陳列棚に陳列される商品の仕切りに際し、陳列された商品の取り除きや再配置のための作業を必要としない仕切用具を提供することにある。
【課題を解決するための手段】
【０００７】
本考案は、商品陳列棚の上に陳列される商品を仕切るために前記商品陳列棚の上に載置される仕切用具に係り、前記商品陳列棚に載置された状態で見て、直立する第１の板部と、直立する第２の板部であって前記第１の板部に連なりかつ該第１の板部に直交する第２の板部とを備える。
【０００８】
本考案にあっては、仕切用具が商品陳列棚に載置された状態で見て直立した第１の板部が前記商品陳列棚上に並べられる商品を仕切る働きなし、また、直立した第２の板部が前記第１の板部をこれが倒れないように支持する働きをなす。本考案によれば、前記第１の板部及び前記第２の板部は、いずれも、直立した状態にあることから、前記商品陳列棚上に置かれた商品相互間にこれらの板部を差し込んで前記商品陳列棚上に載置することができる。このことから、前記商品陳列棚の上に商品が並べられた後であっても該商品の一部の取り除きや再配置を行うことなしに、前記商品の仕切りを行うことができる。
【０００９】
前記仕切用具が、前記第１の板部又は前記第２の板部の少なくとも一方に埋め込まれ、前記商品陳列棚に相対する露出面を有する少なくとも１つのピン型磁石を備えるものとすることができる。この仕切用具によれば、前記商品陳列棚が磁性を有するものからなる場合、前記ピン型磁石を介して前記第１及び第２の板部の少なくとも一方を前記商品陳列棚に固定することができる。
【００１０】
また、前記仕切用具が、前記第１の板部又は前記第２の板部の少なくとも一方に取り付けられ、前記商品陳列棚に相対する少なくとも１つの滑り止め部材を有するものとすることができる。これによれば、前記商品陳列棚が非磁性のものからなる場合、前記商品陳列棚に対する前記滑り止め部材の作用により、前記商品陳列棚上における前記仕切用具の載置位置を維持することができる。
【００１１】
前記第１の板部及び前記第２の板部は、平面で見て、全体にＬ形又はＴ形を呈するものとすることができる。
【図面の簡単な説明】
【００１２】
【図１】商品陳列棚とこの上に置かれた商品を仕切る仕切用具とを示す斜視図である。
【図２】図１に示す仕切用具の拡大斜視図である。
【図３】図１に示す仕切用具の他の視点から見た拡大斜視図である。
【図４】他の例に係る仕切用具の拡大斜視図である。
【考案を実施するための形態】
【００１３】
図１を参照すると、スーパーマーケットのような店舗に設置される商品陳列棚１０と、該商品陳列棚の上に置かれた複数の商品１２と、商品陳列棚１０に上に載置され、複数の商品１２を相互に仕切る複数の仕切用具１４とが示されている。
【００１４】
図示の商品陳列棚１０は磁性を有する金属材料で形成されたものからなり、全体に矩形の平面形状を有する。なお、商品陳列棚１０は、プラスチックのような非磁性のものからなるものであってもよい。商品陳列棚１０は、これと同様の他の商品陳列棚と共に、適当な支持手段（図示せず）を介して、上下に間隔を置いて支持される。
【００１５】
商品陳列棚１０上に置かれる複数の商品１２は、図示の例では、異種の商品からなるところ、同種の商品からなるものであってもよい。
【００１６】
複数の仕切用具１４は、一例として、異種の商品１２を各種類の商品ごとに互いに仕切るように用いられている。
【００１７】
仕切用具１４は、商品陳列棚１０上に載置された状態で見て、直立する第１の板部１６と、直立する第２の板部１８とを備える。第２の板部１８は第１の板部１６に連なりかつ第１の板部１６に直交している。ここにおいて、第１の板部１６は商品１２同士を仕切る働きをなし、また、第２の板部１８は第１の板部１６をこれが直立を維持するように支える働きをなす。
【００１８】
仕切用具１４の第１及び第２の板部１６，１８は、図１に示すように、また、図２及び図３に拡大して示すように、それぞれ、長い長さ寸法及び短い長さ寸法を有し、平面で見て全体にＬ形を呈し、あるいは、図４に示すように、平面で見て全体にＴ形を呈する。第１及び第２の板部１６，１８の前記長さ寸法、高さ寸法及び厚さ寸法は、商品１２の形状、大きさ等を考慮して、任意に定めることができる。
【００１９】
商品１２を相互に仕切る働きをなす第１の板部１６は、これが直立するものであることから、仕切用具１４による仕切りを行うに際し、第１の板部１６を商品１２相互間の隙間に比較的容易に差し込むことができる。このため、商品陳列棚１０上に複数の商品１２を並べた後、あるいは、商品を並べる途中のいずれの時点においても、複数の商品１６を所望の位置で仕切り、あるいは仕切り位置を任意に変更することができる。もちろん、商品陳列棚１０上に前記商品を並べる前に、商品陳列棚１０上の所望の箇所に予め１又は複数の仕切用具１４を配置することができる。
【００２０】
第１及び第２の板部１６，１８はプラスチック材料の一体成形により、あるいは例えば任意の材料からなる２つの板部材（図示せず）を相互に接着することにより得ることができる。
【００２１】
また、仕切用具１４は、好ましくは図示の例におけるように、その第１の板部１６及び第２の板部１８に埋め込まれたピン型磁石２０を有する。より詳細には、第１の板部１６の長さ方向における中央部近傍に１つのピン型磁石２０が配置され、また、第２の板部１８の長さ方向における両端近傍に２つのピン型磁石２０が配置されている。各ピン型磁石２０は商品陳列棚１０に相対する露出面２２を有する。
【００２２】
これによれば、商品陳列棚１０が鉄鋼のような磁性材料で形成されている場合、あるいは商品陳列棚１０がプラスチックのような非磁性材料で形成されかつ前記商品陳列棚の上に磁性を有するシート（例えばマグネットシート）が敷かれている場合、ピン型磁石２０を介して、前記商品陳列棚に直接に又は間接的に、仕切用具１４を固定することができる。仕切用具１４の前記固定により、商品陳列棚１０上における仕切用具１４の滑りを防止し、その配置位置を維持することができる。なお、前記ピン型磁石は、図示の例に代えて、その少なくとも１つを第１及び第２の板部１６，１８の少なくとも一方に配置することができる。
【００２３】
また、好ましくは、第１の板部１６又は第２の板部１８の少なくとも一方に、商品陳列棚１０に相対する少なくとも１つの滑り止め部材２４が取り付けられる。図示の例では、第１の板部１６にのみ、２つの滑り止め部材２４が取り付けられている。滑り止め部材２４は、ゴム材料、プラスチック材料等からなり、全体に板状を呈する。滑り止め部材２４は、商品陳列棚１０が磁性であるか非磁性であるかを問わず、その作用により、商品陳列棚１０上における仕切用具１４の移動とこれに伴う仕切用具１４の配置位置の変更を防止する。
【００２４】
なお、図１には、商品陳列棚１０上に商品１２を支持するために用いられる補助具が符号２６で示されている。
【符号の説明】
【００２５】
１０  商品陳列具
１２  商品
１４  仕切用具
１６  第１の板部
１８  第２の板部
２０  ピン型磁石
２２  ピン型磁石の露出面
２４  滑り止め部材
【図１】
0003181829.tif 000003
【図２】
0003181829.tif 000004
【図３】
0003181829.tif 000005
【図４】
0003181829.tif 000006